(57)【特許請求の範囲】
【請求項１】
無線通信システムにおける受信確認送信方法において、
端末が複数のサービングセルの各々でＡＣＫ/ＮＡＣＫをフィードバックする複数のダウンリンクサブフレーム及び前記複数のサービングセルに対するＡＣＫ/ＮＡＣＫビットの個数を決定するステップ、
多重化されたＡＣＫ/ＮＡＣＫビットが、最も低いセルインデックスを有する第１のサービングセルのダウンリンクサブフレームに対する一連のＡＣＫ/ＮＡＣＫビット、及び前記最も低いセルインデックスの次のセルインデックスを有する第２のサービングセルのダウンリンクサブフレームに対する一連のＡＣＫ/ＮＡＣＫビットを連続して含むように、前記端末が前記複数のサービングセルのセルインデックスの昇順に前記ＡＣＫ/ＮＡＣＫビットを整列して前記多重化されたＡＣＫ/ＮＡＣＫビットを生成するステップ、
前記端末が前記多重化されたＡＣＫ/ＮＡＣＫビットをエンコーディングし、エンコーディングされたＡＣＫ/ＮＡＣＫビットを生成するステップ、
前記端末が前記エンコーディングされたＡＣＫ/ＮＡＣＫビットを変調してＡＣＫ/ＮＡＣＫシンボルを生成するステップ、及び、
前記端末が前記ＡＣＫ/ＮＡＣＫシンボルを基地局に送信するステップ、
を含む受信確認送信方法。
【請求項２】
前記多重化されたＡＣＫ/ＮＡＣＫビットを生成するステップは、
前記最も低いセルインデックスを有する前記第１のサービングセルの前記ダウンリンクサブフレームに対する前記一連のＡＣＫ/ＮＡＣＫビットを整列して前記多重化されたＡＣＫ/ＮＡＣＫビットを生成するステップ、及び、
前記第２のサービングセルの前記ダウンリンクサブフレームに対する前記一連のＡＣＫ/ＮＣＫビットを前記第１のサービングセルに対する前記一連のＡＣＫ/ＮＡＣＫビットの終わりに追加するステップ、
を含むことを特徴とする請求項１に記載の受信確認送信方法。
【請求項３】
前記最も低いセルインデックスは０であることを特徴とする請求項２に記載の受信確認送信方法。
【請求項４】
前記ＡＣＫ/ＮＡＣＫビットの個数が特定値より大きかどうかを決定するステップをさらに含むことを特徴とする請求項１に記載の受信確認送信方法。
【請求項５】
前記ＡＣＫ/ＮＡＣＫビットの個数が前記特定値より大きい場合、各サブフレームで少なくとも２個のコードワードに対応するＡＣＫ/ＮＡＣＫビットの二進ＡＮＤ動作を実行する空間バンドリングを全てのサービングセルで全てのサブフレームに対して適用することを特徴とする請求項４に記載の受信確認送信方法。
【請求項６】
前記無線通信システムは、ＴＤＤシステムであることを特徴とする請求項１に記載の受信確認送信方法。
【請求項７】
前記エンコーディングされたＡＣＫ/ＮＡＣＫビットのビット数は４８であり、前記エンコーディングされたＡＣＫ/ＮＡＣＫビットはＱＰＳＫを利用して変調されることを特徴とする請求項１に記載の受信確認送信方法。
【請求項８】
前記ＡＣＫ/ＮＡＣＫシンボルを送信するステップは、
前記ＡＣＫ/ＮＡＣＫシンボルを直交シーケンスで拡散するステップ、及び、
前記拡散されたＡＣＫ/ＮＡＣＫシンボルを送信するステップ、
を含むことを特徴とする請求項７に記載の受信確認送信方法。
【請求項９】
無線通信システムにおける受信確認を送信する端末において、
無線信号を送信するＲＦ部、及び、
前記ＲＦ部と動作可能に連結されるプロセッサ、を含み、前記プロセッサは、
端末が複数のサービングセルの各々でＡＣＫ/ＮＡＣＫをフィードバックする複数のダウンリンクサブフレーム及び前記複数のサービングセルに対するＡＣＫ/ＮＡＣＫビットの個数を決定し、
多重化されたＡＣＫ/ＮＡＣＫビットが、最も低いセルインデックスを有する第１のサービングセルのダウンリンクサブフレームに対する一連のＡＣＫ/ＮＡＣＫビット、及び前記最も低いセルインデックスの次のセルインデックスを有する第２のサービングセルのダウンリンクサブフレームに対する一連のＡＣＫ/ＮＡＣＫビットを連続して含むように、前記複数のサービングセルのセルインデックスの昇順に前記ＡＣＫ/ＮＡＣＫビットを整列して前記多重化されたＡＣＫ/ＮＡＣＫビットを生成し、
前記多重化されたＡＣＫ/ＮＡＣＫビットをエンコーディングし、エンコーディングされたＡＣＫ/ＮＡＣＫビットを生成し、
前記エンコーディングされたＡＣＫ/ＮＡＣＫビットを変調してＡＣＫ/ＮＡＣＫシンボルを生成し、及び、
前記ＡＣＫ/ＮＡＣＫシンボルを基地局に送信することを特徴とする端末。
【請求項１０】
前記プロセッサは、
前記最も低いセルインデックスを有する前記第１のサービングセルの前記ダウンリンクサブフレームに対する前記一連のＡＣＫ/ＮＡＣＫビットを整列して前記多重化されたＡＣＫ/ＮＡＣＫビットを生成し、及び、
前記第２のサービングセルの前記ダウンリンクサブフレームに対する前記一連のＡＣＫ/ＮＣＫビットを前記第１のサービングセルに対する前記一連のＡＣＫ/ＮＡＣＫビットの終わりに追加して、
前記多重化されたＡＣＫ/ＮＡＣＫビットを生成することを特徴とする請求項９に記載の端末。
【請求項１１】
前記最も低いセルインデックスは０であることを特徴とする請求項１０に記載の端末。
【請求項１２】
前記プロセッサは、前記ＡＣＫ/ＮＡＣＫビットの個数が特定値より大きかどうかを決定することを特徴とする請求項９に記載の端末。
【請求項１３】
前記ＡＣＫ/ＮＡＣＫビットの個数が前記特定値より大きい場合、各サブフレームで少なくとも２個のコードワードに対応するＡＣＫ/ＮＡＣＫビットの二進ＡＮＤ動作を実行する空間バンドリングを全てのサービングセルで全てのサブフレームに対して適用することを特徴とする請求項１２に記載の端末。
【請求項１４】
前記エンコーディングされたＡＣＫ/ＮＡＣＫビットのビット数は４８であり、前記エンコーディングされたＡＣＫ/ＮＡＣＫビットはＱＰＳＫを利用して変調されることを特徴とする請求項９に記載の端末。
【請求項１５】
前記プロセッサは、
前記ＡＣＫ/ＮＡＣＫシンボルを直交シーケンスで拡散し、及び、
前記拡散されたＡＣＫ/ＮＡＣＫシンボルを送信して、
前記ＡＣＫ/ＮＡＣＫシンボルを送信することを特徴とする請求項１４に記載の端末。
【発明の詳細な説明】
【技術分野】
【０００１】
本発明は、無線通信に関し、より詳しくは、無線通信システムにおいて、ＨＡＲＱ(ｈｙｂｒｉｄ ａｕｔｏｍａｔｉｃ ｒｅｐｅａｔ ｒｅｑｕｅｓｔ)のための受信確認(ｒｅｃｅｐｔｉｏｎ ａｃｋｎｏｗｌｅｄｇｅｍｅｎｔ)を送信する方法及び装置に関する。
【背景技術】
【０００２】
３ＧＰＰ(３ｒｄ Ｇｅｎｅｒａｔｉｏｎ Ｐａｒｔｎｅｒｓｈｉｐ Ｐｒｏｊｅｃｔ)ＴＳ(Ｔｅｃｈｎｉｃａｌ Ｓｐｅｃｉｆｉｃａｔｉｏｎ)リリース(Ｒｅｌｅａｓｅ)８に基づくＬＴＥ(ｌｏｎｇ ｔｅｒｍ ｅｖｏｌｕｔｉｏｎ)は、有力な次世代移動通信標準である。
【０００３】
３ＧＰＰ ＴＳ ３６.２１１ Ｖ８.７.０(２００９−０５) 「Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ８)」に開示されているように、ＬＴＥにおける物理チャネルは、ダウンリンクチャネルであるＰＤＳＣＨ(Ｐｈｙｓｉｃａｌ Ｄｏｗｎｌｉｎｋ Ｓｈａｒｅｄ Ｃｈａｎｎｅｌ)とＰＤＣＣＨ(Ｐｈｙｓｉｃａｌ Ｄｏｗｎｌｉｎｋ Ｃｏｎｔｒｏｌ Ｃｈａｎｎｅｌ)、アップリンクチャネルであるＰＵＳＣＨ(Ｐｈｙｓｉｃａｌ Ｕｐｌｉｎｋ Ｓｈａｒｅｄ Ｃｈａｎｎｅｌ)とＰＵＣＣＨ(ＰｈｙｓｉｃａｌＵｐｌｉｎｋ Ｃｏｎｔｒｏｌ Ｃｈａｎｎｅｌ)に分けられる。
【０００４】
ＰＵＣＣＨは、ＨＡＲＱ(ｈｙｂｒｉｄ ａｕｔｏｍａｔｉｃ ｒｅｐｅａｔ ｒｅｑｕｅｓｔ)ＡＣＫ/ＮＡＣＫ信号、ＣＱＩ(Ｃｈａｎｎｅｌ Ｑｕａｌｉｔｙ Ｉｎｄｉｃａｔｏｒ)、ＳＲ(ｓｃｈｅｄｕｌｉｎｇ ｒｅｑｕｅｓｔ)のようなアップリンク制御情報の送信に使われるアップリンク制御チャネルである。
【０００５】
一方、３ＧＰＰ ＬＴＥの進化である３ＧＰＰ ＬＴＥ−Ａ(ａｄｖａｎｃｅｄ)が進行されている。３ＧＰＰ ＬＴＥ−Ａに導入される技術には、搬送波集約(ｃａｒｒｉｅｒ ａｇｇｒｅｇａｔｉｏｎ)と４個以上のアンテナポートをサポートするＭＩＭＯ(ｍｕｌｔｉｐｌｅ ｉｎｐｕｔ ｍｕｌｔｉｐｌｅ ｏｕｔｐｕｔ)がある。
【０００６】
搬送波集約は、複数のコンポーネントキャリア(ｃｏｍｐｏｎｅｎｔ ｃａｒｒｉｅｒ)を使用する。コンポーネントキャリアは、中心周波数と帯域幅により定義される。一つのダウンリンクコンポーネントキャリア又はアップリンクコンポーネントキャリアとダウンリンクコンポーネントキャリアの対(ｐａｉｒ)が一つのセルに対応される。複数のダウンリンクコンポーネントキャリアを利用してサービスの提供を受ける端末は、複数のサービングセルからサービスの提供を受けるということができる。
【０００７】
多重搬送波システムにおいて、端末は常に複数のサービングセルからサービスの提供を受けるものではない。サービス状況により、サービングセルが追加されてもよく、削除されてもよい。このようにサービングセルの個数が変化することによって端末と基地局との間のサービングセルの設定にミスマッチが発生する可能性がある。
【０００８】
サービングセルの設定にミスマッチにより発生される問題点の一つがＨＡＲＱエラーである。例えば、端末は、一つのサービングセルに対するＨＡＲＱ ＡＣＫ/ＮＡＣＫを送るが、基地局は、複数のサービングセルに対するＨＡＲＱ ＡＣＫ/ＮＡＣＫを期待することである。ＨＡＲＱエラーは、データ損失やサービス遅延を招く可能性がある。
【０００９】
したがって、複数のサービングセルを使用する多重搬送波システムでＨＡＲＱエラーを減らす技法が必要である。
【発明の概要】
【発明が解決しようとする課題】
【００１０】
本発明が解決しようとする技術的課題は、ＴＤＤ(Ｔｉｍｅ Ｄｉｖｉｓｉｏｎ Ｄｕｐｌｅｘ)ベースの無線通信システムでＨＡＲＱエラーを減らす受信確認送信方法及び装置を提供することである。
【課題を解決するための手段】
【００１１】
一態様において、無線通信システムにおける受信確認送信方法が提供される。前記方法は、端末が複数のサービングセルの各々でＡＣＫ/ＮＡＣＫをフィードバックする少なくとも一つのダウンリンクサブフレーム及び前記複数のサービングセルに対するＡＣＫ/ＮＡＣＫビットの個数を決定するステップ、前記端末が前記複数のサービングセルのセルインデックスの昇順に前記ＡＣＫ/ＮＡＣＫビットを整列して結合されたＡＣＫ/ＮＡＣＫビットを生成するステップ、前記端末が前記結合されたＡＣＫ/ＮＡＣＫビットをエンコーディングし、エンコーディングされたＡＣＫ/ＮＡＣＫビットを生成するステップ、前記端末が前記エンコーディングされたＡＣＫ/ＮＡＣＫビットを変調してＡＣＫ/ＮＡＣＫシンボルを生成するステップ、及び前記端末が前記ＡＣＫ/ＮＡＣＫシンボルを基地局に送信するステップ、を含む。
【００１２】
前記結合されたＡＣＫ/ＮＡＣＫビットを生成するステップは、最も低いセルインデックスを有する第１のサービングセルのＡＣＫ/ＮＡＣＫビットを整列して前記結合されたＡＣＫ/ＮＡＣＫビットを生成するステップ、及び前記最も低いセルインデックスの次のインデックスを有する第２のサービングセルのＡＣＫ/ＮＣＫビットを前記結合されたＡＣＫ/ＮＡＣＫビットに追加するステップ、を含む。
【００１３】
前記方法は、前記ＡＣＫ/ＮＡＣＫビットの個数が特定値より大きいかどうかを決定するステップをさらに含む。
【００１４】
前記ＡＣＫ/ＮＡＣＫビットの個数が前記特定値より大きい場合、各サブフレームで少なくとも２個のコードワードに対応するＡＣＫ/ＮＡＣＫビットの二進ＡＮＤ動作を実行する空間バンドリングを全てのサービングセルで全てのサブフレームに対して適用する。
【００１５】
他の態様において、無線通信システムにおける受信確認を送信する端末が提供される。前記端末は、無線信号を送信するＲＦ部、及び前記ＲＦ部と連結されるプロセッサを含み、前記プロセッサは、複数のサービングセルの各々でＡＣＫ/ＮＡＣＫをフィードバックする少なくとも一つのダウンリンクサブフレーム及び前記複数のサービングセルに対するＡＣＫ/ＮＡＣＫビットの個数を決定し、前記複数のサービングセルのセルインデックスの昇順に前記ＡＣＫ/ＮＡＣＫビットを整列して結合されたＡＣＫ/ＮＡＣＫビットを生成し、前記結合されたＡＣＫ/ＮＡＣＫビットをエンコーディングし、エンコーディングされたＡＣＫ/ＮＡＣＫビットを生成し、前記エンコーディングされたＡＣＫ/ＮＡＣＫビットを変調してＡＣＫ/ＮＡＣＫシンボルを生成し、及び前記ＡＣＫ/ＮＡＣＫシンボルを基地局に送信する。
【発明の効果】
【００１６】
複数のサービングセルがあるＴＤＤ(Ｔｉｍｅ Ｄｉｖｉｓｉｏｎ Ｄｕｐｌｅｘ)システムにおける受信確認を送信する方法が提案される。基地局と端末との間のセル設定のミスマッチが発生してもＨＡＲＱエラーを減らすことができる。
【図面の簡単な説明】
【００１７】
【図１】３ＧＰＰ ＬＴＥにおいて、ダウンリンク無線フレームの構造を示す。
【図２】３ＧＰＰ ＬＴＥにおいて、アップリンクサブフレームの構造を示す。
【図３】多重搬送波の一例を示す。
【図４】ＤＡＩを利用したエラー検出の例を示す。
【図５】ノーマルＣＰにおいて、ＰＵＣＣＨフォーマット３の構造を示す例示図である。
【図６】ＰＵＣＣＨフォーマット３を利用したＨＡＲＱ実行方法を示すフローチャートである。
【図７】ＡＣＫ/ＮＡＣＫ送信の一例を示す。
【図８】ＡＣＫ/ＮＡＣＫ送信の他の例を示す。
【図９】本発明の実施例に係るＡＣＫ/ＮＡＣＫ情報の構成を示す。
【図１０】本発明の一実施例に係る受信確認送信方法を示すフローチャートである。
【図１１】本発明の実施例が具現される無線通信システムを示すブロック図である。
【発明を実施するための形態】
【００１８】
端末(Ｕｓｅｒ Ｅｑｕｉｐｍｅｎｔ；ＵＥ)は、固定されてよいし、移動性を有してもよく、ＭＳ(ｍｏｂｉｌｅ ｓｔａｔｉｏｎ)、ＭＴ(ｍｏｂｉｌｅ ｔｅｒｍｉｎａｌ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)、ＰＤＡ(ｐｅｒｓｏｎａｌ ｄｉｇｉｔａｌ ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)等、他の用語で呼ばれることもある。
【００１９】
基地局は、一般的に端末と通信する固定局(ｆｉｘｅｄ ｓｔａｔｉｏｎ)を意味し、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、アクセスポイント(Ａｃｃｅｓｓ Ｐｏｉｎｔ)等、他の用語で呼ばれることもある。
【００２０】
図１は、３ＧＰＰ ＬＴＥにおいて、ダウンリンク無線フレームの構造を示す。これは３ＧＰＰ ＴＳ ３６.２１１ Ｖ８.７.０(２００９−０５) 「Ｅｖｏｌｖｅｄ Ｕｎｉｖｅｒｓａｌ Ｔｅｒｒｅｓｔｒｉａｌ Ｒａｄｉｏ Ａｃｃｅｓｓ(Ｅ−ＵＴＲＡ)；Ｐｈｙｓｉｃａｌ Ｃｈａｎｎｅｌｓ ａｎｄ Ｍｏｄｕｌａｔｉｏｎ(Ｒｅｌｅａｓｅ８)」の４節を参照することができ、ＴＤＤ(Ｔｉｍｅ Ｄｉｖｉｓｉｏｎ Ｄｕｐｌｅｘ)のためのものである。
【００２１】
無線フレーム(ｒａｄｉｏ ｆｒａｍｅ)は、０〜９のインデックスが付けられた１０個のサブフレームを含む。一つのサブフレーム(ｓｕｂｆｒａｍｅ)は、２個の連続的なスロットを含む。一つのサブフレームの送信にかかる時間をＴＴＩ(ｔｒａｎｓｍｉｓｓｉｏｎ ｔｉｍｅ ｉｎｔｅｒｖａｌ)といい、例えば、一つのサブフレームの長さは１ｍｓであり、一つのスロットの長さは０.５ｍｓである。
【００２２】
一つのスロットは、時間領域で複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含むことができる。ＯＦＤＭシンボルは、３ＧＰＰ ＬＴＥがダウンリンク(ｄｏｗｎｌｉｎｋ；ＤＬ)でＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)を使用するため、時間領域で一つのシンボル区間(ｓｙｍｂｏｌ ｐｅｒｉｏｄ)を表現するためのものに過ぎず、多重接続方式や名称に制限されるものではない。例えば、ＯＦＤＭシンボルは、ＳＣ−ＦＤＭＡ(ｓｉｎｇｌｅ ｃａｒｒｉｅｒ−ｆｒｅｑｕｅｎｃｙ ｄｉｖｉｓｉｏｎ ｍｕｌｔｉｐｌｅ ａｃｃｅｓｓ)シンボル、シンボル区間など、他の名称で呼ばれることもある。
【００２３】
一つのスロットは、７ＯＦＤＭシンボルを含むことを例示的に記述するが、ＣＰ(Ｃｙｃｌｉｃ Ｐｒｅｆｉｘ)の長さによって一つのスロットに含まれるＯＦＤＭシンボルの数は変わることができる。３ＧＰＰ ＴＳ ３６.２１１ Ｖ８.７.０によると、正規ＣＰで１スロットは７ＯＦＤＭシンボルを含み、拡張(ｅｘｔｅｎｄｅｄ)ＣＰで１スロットは６ＯＦＤＭシンボルを含む。
【００２４】
リソースブロック(ｒｅｓｏｕｒｃｅ ｂｌｏｃｋ；ＲＢ)はリソース割当単位であり、一つのスロットで複数の副搬送波を含む。例えば、一つのスロットが時間領域で７個のＯＦＤＭシンボルを含み、リソースブロックは周波数領域で１２個の副搬送波を含む場合、一つのリソースブロックは７×１２個のリソース要素(ｒｅｓｏｕｒｃｅ ｅｌｅｍｅｎｔ；ＲＥ)を含むことができる。
【００２５】
インデックス＃１とインデックス＃６を有するサブフレームは、スペシャルサブフレームと呼び、ＤｗＰＴＳ(Ｄｏｗｎｌｉｎｋ Ｐｉｌｏｔ Ｔｉｍｅ Ｓｌｏｔ；ＤｗＰＴＳ)、ＧＰ(Ｇｕａｒｄ Ｐｅｒｉｏｄ)及びＵｐＰＴＳ(Ｕｐｌｉｎｋ Ｐｉｌｏｔ Ｔｉｍｅ Ｓｌｏｔ)を含む。ＤｗＰＴＳは、端末での初期セル探索、同期化又はチャネル推定に使われる。ＵｐＰＴＳは、基地局でのチャネル推定と端末のアップリンク送信同期を合わせるときに使われる。ＧＰは、アップリンクとダウンリンクとの間にダウンリンク信号の多重経路遅延によりアップリンクで発生する干渉を除去するための区間である。
【００２６】
ＴＤＤでは一つの無線フレームにＤＬ(ｄｏｗｎｌｉｎｋ)サブフレームとＵＬ(Ｕｐｌｉｎｋ)サブフレームが共存する。表１は、無線フレームの設定(ｃｏｎｆｉｇｕｒａｔｉｏｎ)の一例を示す。
【００２７】
【表１】
0005639717.tif 000002
【００２８】
「Ｄ」はＤＬサブフレーム、「Ｕ」はＵＬサブフレーム、「Ｓ」はスペシャルサブフレームを意味する。基地局からＵＬ−ＤＬ設定を受信すると、端末は無線フレームの設定によってどのサブフレームがＤＬサブフレームかＵＬサブフレームかを知ることができる。
【００２９】
ＤＬ(ｄｏｗｎｌｉｎｋ)サブフレームは、時間領域で制御領域(ｃｏｎｔｒｏｌ ｒｅｇｉｏｎ)とデータ領域(ｄａｔａ ｒｅｇｉｏｎ)とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ及び他の制御チャネルが割り当てられ、データ領域にはＰＤＳＣＨが割り当てられる。
【００３０】
３ＧＰＰ ＴＳ ３６.２１１ Ｖ８.７.０に開示されているように、３ＧＰＰ ＬＴＥにおける物理チャネルは、データチャネルであるＰＤＳＣＨ(Ｐｈｙｓｉｃａｌ Ｄｏｗｎｌｉｎｋ Ｓｈａｒｅｄ Ｃｈａｎｎｅｌ)とＰＵＳＣＨ(Ｐｈｙｓｉｃａｌ Ｕｐｌｉｎｋ Ｓｈａｒｅｄ Ｃｈａｎｎｅｌ)、及び制御チャネルであるＰＤＣＣＨ(Ｐｈｙｓｉｃａｌ Ｄｏｗｎｌｉｎｋ Ｃｏｎｔｒｏｌ Ｃｈａｎｎｅｌ)、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)及びＰＵＣＣＨ(Ｐｈｙｓｉｃａｌ Ｕｐｌｉｎｋ Ｃｏｎｔｒｏｌ Ｃｈａｎｎｅｌ)に分けられる。
【００３１】
サブフレームの１番目のＯＦＤＭシンボルで送信されるＰＣＦＩＣＨは、サブフレーム内で制御チャネルの送信に使われるＯＦＤＭシンボルの数(即ち、制御領域の大きさ)に関するＣＦＩ(ｃｏｎｔｒｏｌ ｆｏｒｍａｔ ｉｎｄｉｃａｔｏｒ)を伝送する。まず、端末は、ＰＣＦＩＣＨ上にＣＦＩを受信した後、ＰＤＣＣＨをモニタリングする。
【００３２】
ＰＤＣＣＨと違って、ＰＣＦＩＣＨはブラインドデコーディングを使用せずに、サブフレームの固定されたＰＣＦＩＣＨリソースを介して送信される。
【００３３】
ＰＨＩＣＨは、アップリンクＨＡＲＱ(ｈｙｂｒｉｄ ａｕｔｏｍａｔｉｃ ｒｅｐｅａｔ ｒｅｑｕｅｓｔ)のためのＡＣＫ(ｐｏｓｉｔｉｖｅ−ａｃｋｎｏｗｌｅｄｇｅｍｅｎｔ)/ＮＡＣＫ(ｎｅｇａｔｉｖｅ−ａｃｋｎｏｗｌｅｄｇｅｍｅｎｔ)信号を伝送する。端末により送信されるＰＵＳＣＨ上のＵＬ(ｕｐｌｉｎｋ)データに対するＡＣＫ/ＮＡＣＫ信号はＰＨＩＣＨ上に送信される。
【００３４】
ＰＢＣＨ(Ｐｈｙｓｉｃａｌ Ｂｒｏａｄｃａｓｔ Ｃｈａｎｎｅｌ)は、無線フレームの１番目のサブフレームの第２のスロットの前方部の４個のＯＦＤＭシンボルで送信される。ＰＢＣＨは、端末と基地局との通信に必須なシステム情報を伝送し、ＰＢＣＨを介して送信されるシステム情報をＭＩＢ(ｍａｓｔｅｒ ｉｎｆｏｒｍａｔｉｏｎ ｂｌｏｃｋ)という。これに対し、ＰＤＣＣＨにより指示されるＰＤＳＣＨ上に送信されるシステム情報をＳＩＢ(ｓｙｓｔｅｍ ｉｎｆｏｒｍａｔｉｏｎ ｂｌｏｃｋ)という。
【００３５】
ＰＤＣＣＨを介して送信される制御情報をダウンリンク制御情報(ｄｏｗｎｌｉｎｋ ｃｏｎｔｒｏｌ ｉｎｆｏｒｍａｔｉｏｎ；ＤＣＩ)という。ＤＣＩは、ＰＤＳＣＨのリソース割当(これをＤＬグラント(ｄｏｗｎｌｉｎｋ ｇｒａｎｔ)とも呼ぶ)、ＰＵＳＣＨのリソース割当(これをＵＬグラント(ｕｐｌｉｎｋ ｇｒａｎｔ)とも呼ぶ)、任意のＵＥグループ内の個別ＵＥに対する送信パワー制御命令の集合及び/又はＶｏＩＰ(Ｖｏｉｃｅ ｏｖｅｒ Ｉｎｔｅｒｎｅｔ Ｐｒｏｔｏｃｏｌ)の活性化を含むことができる。
【００３６】
３ＧＰＰ ＬＴＥでは、ＰＤＣＣＨの検出のためにブラインドデコーディングを使用する。ブラインドデコーディングは、受信されるＰＤＣＣＨ(これを候補(ｃａｎｄｉｄｔａｅ)ＰＤＣＣＨという)のＣＲＣに所望の識別子をデマスキングし、ＣＲＣエラーをチェックして該当ＰＤＣＣＨが自分の制御チャネルかどうかを確認する方式である。
【００３７】
基地局は、端末に送ろうとするＤＣＩによってＰＤＣＣＨフォーマットを決定した後、ＤＣＩにＣＲＣ(Ｃｙｃｌｉｃ Ｒｅｄｕｎｄａｎｃｙ Ｃｈｅｃｋ)を付け、ＰＤＣＣＨの所有者(ｏｗｎｅｒ)や用途によって固有な識別子(これをＲＮＴＩ(Ｒａｄｉｏ Ｎｅｔｗｏｒｋ Ｔｅｍｐｏｒａｒｙ Ｉｄｅｎｔｉｆｉｅｒ)という)をＣＲＣにマスキングする。
【００３８】
図２は、３ＧＰＰ ＬＴＥにおいて、アップリンクサブフレームの構造を示す。
【００３９】
アップリンクサブフレームは、周波数領域で、アップリンク制御情報を伝送するＰＵＣＣＨ(Ｐｈｙｓｉｃａｌ Ｕｐｌｉｎｋ Ｃｏｎｔｒｏｌ Ｃｈａｎｎｅｌ)が割り当てられる制御領域(ｒｅｇｉｏｎ)と、ユーザデータを伝送するＰＵＳＣＨ(Ｐｈｙｓｉｃａｌ Ｕｐｌｉｎｋ Ｓｈａｒｅｄ Ｃｈａｎｎｅｌ)が割り当てられるデータ領域と、に分けられる。
【００４０】
ＰＵＣＣＨは、サブフレーム内のＲＢ対(ｐａｉｒ)に割り当てられる。ＲＢ対に属するＲＢは、第１のスロットと第２のスロットの各々で互いに異なる副搬送波を占める。ｍは、サブフレーム内でＰＵＣＣＨに割り当てられたＲＢ対の論理的な周波数領域位置を示す位置インデックスである。同じｍ値を有するＲＢが２個のスロットで互いに異なる副搬送波を占めていることを示す。
【００４１】
３ＧＰＰ ＴＳ ３６.２１１ Ｖ８.７.０によると、ＰＵＣＣＨは、多重フォーマットをサポートする。ＰＵＣＣＨフォーマットに従属した変調方式(ｍｏｄｕｌａｔｉｏｎ ｓｃｈｅｍｅ)によってサブフレーム当たり互いに異なるビット数を有するＰＵＣＣＨを使用することができる。ＰＵＣＣＨフォーマット１はＳＲ(Ｓｃｈｅｄｕｌｉｎｇ Ｒｅｑｕｅｓｔ)の送信に使われ、ＰＵＣＣＨフォーマット１ａ/１ｂはＨＡＲＱのためのＡＣＫ/ＮＡＣＫ信号の送信に使われ、ＰＵＣＣＨフォーマット２はＣＱＩの送信に使われ、ＰＵＣＣＨフォーマット２ａ/２ｂはＣＱＩ及びＡＣＫ/ＮＡＣＫ信号の同時(ｓｉｍｕｌｔａｎｅｏｕｓ)送信に使われる。サブフレームで、ＡＣＫ/ＮＡＣＫ信号のみを送信する時、ＰＵＣＣＨフォーマット１ａ/１ｂが使われ、ＳＲが単独に送信される時、ＰＵＣＣＨフォーマット１が使われる。ＳＲとＡＣＫ/ＮＡＣＫを同時に送信する時にはＰＵＣＣＨフォーマット１が使われ、ＳＲに割り当てられたリソースにＡＣＫ/ＮＡＣＫ信号を変調して送信する。
【００４２】
全てのＰＵＣＣＨフォーマットは、各ＯＦＤＭシンボルでシーケンスの循環シフト(ｃｙｌｉｃ ｓｈｉｆｔ；ＣＳ)を使用する。循環シフトされたシーケンスは、基本シーケンス(ｂａｓｅ ｓｅｑｕｅｎｃｅ)を特定ＣＳ量(ｃｙｃｌｉｃ ｓｈｉｆｔ ａｍｏｕｎｔ)により循環シフトさせて生成される。特定ＣＳ量は、循環シフトインデックス(ＣＳ ｉｎｄｅｘ)により指示される。
【００４３】
基本シーケンスｒu(ｎ)を定義した一例は、以下の数式の通りである。
【００４４】
【数１】
0005639717.tif 000003
【００４５】
ここで、ｕはルートインデックス(ｒｏｏｔ ｉｎｄｅｘ)、ｎは要素インデックスであり、０＝ｎ＝Ｎ−１、Ｎは基本シーケンスの長さである。ｂ(ｎ)は、３ＧＰＰ ＴＳ ３６.２１１ Ｖ８.７.０の５.５節で定義されている。
【００４６】
シーケンスの長さは、シーケンスに含まれる要素(ｅｌｅｍｅｎｔ)の数と同じである。ｕは、セルＩＤ(ｉｄｅｎｔｉｆｉｅｒ)、無線フレーム内のスロット番号などにより決められることができる。基本シーケンスが周波数領域で一つのリソースブロックにマッピング(ｍａｐｐｉｎｇ)されるとする時、一つのリソースブロックが１２副搬送波を含むため、基本シーケンスの長さＮは１２となる。他のルートインデックスによって他の基本シーケンスが定義される。
【００４７】
基本シーケンスｒ(ｎ)を以下の数式２のように循環シフトさせ、循環シフトされたシーケンスｒ(ｎ,Ｉcs)を生成することができる。
【００４８】
【数２】
0005639717.tif 000004
【００４９】
ここで、Ｉcsは、ＣＳ量を示す循環シフトインデックスである(０≦Ｉcs≦Ｎ−１)。
【００５０】
基本シーケンスの可用(ａｖａｉｌａｂｌｅ)循環シフトインデックスは、ＣＳ間隔(ＣＳ ｉｎｔｅｒｖａｌ)によって基本シーケンスから得る(ｄｅｒｉｖｅ)ことができる循環シフトインデックスを意味する。例えば、基本シーケンスの長さが１２であり、ＣＳ間隔が１の場合、基本シーケンスの可用循環シフトインデックスの総個数は１２となる。又は、基本シーケンスの長さが１２であり、ＣＳ間隔が２の場合、基本シーケンスの可用循環シフトインデックスの総数は６となる。
【００５１】
ＰＵＣＣＨフォーマット１/１ａ/１ｂでは循環シフトインデックス外に直交シーケンスインデックス、リソースブロックインデックスを追加的に使用してＰＵＣＣＨを構成する。即ち、直交シーケンスインデックス、循環シフトインデックス及びリソースブロックインデックスは、ＰＵＣＣＨを構成するために必要なパラメータであり、ＰＵＣＣＨ(又は、端末)の区分に使われるリソースである。
【００５２】
ＡＣＫ/ＮＡＣＫ信号の送信に使われる時間、周波数、コードリソースをＡＣＫ/ＮＡＣＫリソース又はＰＵＣＣＨリソースという。ＡＣＫ/ＮＡＣＫ信号をＰＵＣＣＨ上に送信するために必要なＡＣＫ/ＮＡＣＫリソースのインデックス(ＡＣＫ/ＮＡＣＫリソースインデックス又はＰＵＣＣＨインデックスという)は、直交シーケンスインデックス、循環シフトインデックス、リソースブロックインデックス及び前記３個のインデックスを求めるためのインデックスのうち少なくともいずれか一つで表現されることができる。ＡＣＫ/ＮＡＣＫリソースは、直交シーケンス、循環シフト、リソースブロック及びこれらの組合せのうち少なくともいずれか一つを含むことができる。
【００５３】
３ＧＰＰ ＬＴＥでは端末がＰＵＣＣＨを構成するための前記３個のパラメータを獲得するために、リソースインデックスｎ(1)PUUCHが定義される。リソースインデックスｎ(1)PUUCH＝ｎCCE＋Ｎ(1)PUUCHで定義され、ｎCCEは、対応するＤＣＩ(即ち、ＡＣＫ/ＮＡＣＫ信号に対応するＤＬ送信ブロックの受信に使われたＤＬリソース割当)の送信に使われる１番目のＣＣＥの番号であり、Ｎ(1)PUUCHは、基地局が端末に上位階層メッセージとして知らせるパラメータである。
【００５４】
以下、多重搬送波(ｍｕｌｔｉｐｌｅ ｃａｒｒｉｅｒ)システムに対して記述する。
【００５５】
３ＧＰＰ ＬＴＥシステムは、ダウンリンク帯域幅とアップリンク帯域幅が異なるように設定される場合をサポートするが、これは一つのコンポーネントキャリア(ｃｏｍｐｏｎｅｎｔ ｃａｒｒｉｅｒ；ＣＣ)を前提にする。３ＧＰＰ ＬＴＥシステムは、最大２０ＭＨｚをサポートし、アップリンク帯域幅とダウンリンク帯域幅は異なってもよいが、アップリンクとダウンリンクの各々に一つのＣＣのみをサポートする。
【００５６】
スペクトラム集約(ｓｐｅｃｔｒｕｍ ａｇｇｒｅｇａｔｉｏｎ)(又は、帯域幅集約(ｂａｎｄｗｉｄｔｈ ａｇｇｒｅｇａｔｉｏｎ)、搬送波集約(ｃａｒｒｉｅｒ ａｇｇｒｅｇａｔｉｏｎ)という)は、複数のＣＣをサポートすることである。例えば、２０ＭＨｚ帯域幅を有する搬送波単位のグラニュラリティ(ｇｒａｎｕｌａｒｉｔｙ)として５個のＣＣが割り当てられると、最大１００Ｍｈｚの帯域幅をサポートすることができる。
【００５７】
ＣＣ又はＣＣ−対(ｐａｉｒ)は、一つのセルに対応されることができる。各ＣＣで同期信号とＰＢＣＨが送信されると、一つのＤＬ ＣＣは一つのセルに対応されるということができる。したがって、複数のＣＣを介して基地局と通信する端末は、複数のサービングセルからサービスの提供を受けるということができる。
【００５８】
図３は、多重搬送波の一例を示す。
【００５９】
ＤＬ ＣＣとＵＬ ＣＣが各々３個ずつあるが、ＤＬ ＣＣとＵＬ ＣＣの個数に制限があるものてはない。各ＤＬ ＣＣでＰＤＣＣＨとＰＤＳＣＨが独立的に送信され、各ＵＬ ＣＣでＰＵＣＣＨとＰＵＳＣＨが独立的に送信される。３個のＤＬ ＣＣ−ＵＬ ＣＣ対が定義されるため、端末は３個のサービングセルからサービスの提供を受けるということができる。
【００６０】
端末は、複数のＤＬ ＣＣでＰＤＣＣＨをモニタリングし、複数のＤＬ ＣＣを介して同時にＤＬ送信ブロックを受信することができる。端末は、複数のＵＬ ＣＣを介して同時に複数のＵＬ送信ブロックを送信することができる。
【００６１】
ＤＬ ＣＣ＃１とＵＬ ＣＣ＃１の対が第１のサービングセルとなり、ＤＬ ＣＣ＃２とＵＬ ＣＣ＃２の対が第２のサービングセルとなり、ＤＬ ＣＣ＃３が第３のサービングセルとなると仮定する。各サービングセルにはセルインデックス(Ｃｅｌｌ ｉｎｄｅｘ；ＣＩ)を介して識別されることができる。ＣＩは、セル内で固有であってもよく、端末−特定的であってもよい。ここでは、第１乃至第３のサービングセルにＣＩ＝０,１,２が付与された例を示す。
【００６２】
サービングセルは、１次セル(ｐｒｉｍａｒｙ ｃｅｌｌ)と２次セル(ｓｅｃｏｎｄａｒｙ ｃｅｌｌ)とに区分されることができる。１次セルは、１次周波数で動作し、端末が初期連結確立過程を実行したり、連結再確立過程を開始したり、ハンドオーバー過程で１次セルとして指定されたセルである。１次セルは、基準セル(ｒｅｆｅｒｅｎｃｅ ｃｅｌｌ)とも呼ぶ。２次セルは、２次周波数で動作し、ＲＲＣ連結が確立された後に設定されることができ、追加的な無線リソースの提供に使われることができる。常に少なくとも一つの１次セルが設定され、２次セルは上位階層シグナリング(例えば、ＲＲＣメッセージ)により追加/修正/解除されることができる。
【００６３】
１次セルのＣＩは固定されることができる。例えば、最も低いＣＩが１次セルのＣＩで指定されることができる。以下、１次セルのＣＩは０であり、２次セルのＣＩは１から順次割り当てられると仮定する。
【００６４】
以下、３ＧＰＰ ＬＴＥ ＴＤＤ(Ｔｉｍｅ Ｄｉｖｉｓｉｏｎ Ｄｕｐｌｅｘ)でのＨＡＲＱのためのＡＣＫ/ＮＡＣＫ送信に対して記述する。
【００６５】
ＴＤＤは、ＦＤＤ(Ｆｒｅｑｕｅｎｃｙ Ｄｉｖｉｓｉｏｎ Ｄｕｐｌｅｘ)と違って一つの無線フレームにＤＬサブフレームとＵＬサブフレームが共存する。一般的に、ＵＬサブフレームの個数がＤＬサブフレームの個数より少ない。したがって、ＡＣＫ/ＮＡＣＫ信号を送信するためのＵＬサブフレームが足りない場合を対比し、複数のＤＬ送信ブロックに対する複数のＡＣＫ/ＮＡＣＫ信号を一つのＵＬサブフレームで送信することをサポートしている。
【００６６】
３ＧＰＰ ＴＳ ３６.２１３ Ｖ８.７.０(２００９−０５)の１０.１節によると、チャネル選択(ｃｈａｎｎｅｌ ｓｅｌｅｃｔｉｏｎ)とバンドリング(ｂｕｎｄｌｉｎｇ)の２つのＡＣＫ/ＮＡＣＫモードが開始される。
【００６７】
第一に、バンドリングは、端末が受信したＰＤＳＣＨ(即ち、ダウンリンク送信ブロック)のデコーディングに全部成功するとＡＣＫを送信し、その以外はＮＡＣＫを送信する場合である。これをＡＮＤ動作という。
【００６８】
ただし、バンドリングは、ＡＮＤ動作に制限されるものではなく、複数の送信ブロック(又は、コードワード)に対応するＡＣＫ/ＮＡＣＫビットを圧縮する多様な動作を含むことができる。例えば、バンドリングは、ＡＣＫ(又は、ＮＡＣＫ)の個数をカウンティングした値や連続的なＡＣＫの個数を示すようにすることができる。
【００６９】
第二に、チャネル選択は、ＡＣＫ/ＮＡＣＫ多重化(ｍｕｌｔｉｐｌｅｘｉｎｇ)とも呼ぶ。端末は、複数のＰＵＣＣＨリソースのうち一つのＰＵＣＣＨリソースを選択してＡＣＫ/ＮＡＣＫを送信する。
【００７０】
以下の表は、３ＧＰＰ ＬＴＥにおいて、ＵＬ−ＤＬ設定によるＵＬサブフレームｎと連結された(ａｓｓｏｃｉａｔｅｄ)ＤＬサブフレームｎ−ｋ、ここで、ｋ∈Ｋ、Ｍは集合Ｋの要素の個数を示す。
【００７１】
【表２】
0005639717.tif 000005
【００７２】
ＵＬサブフレームｎにＭ個のＤＬサブフレームが連結されており、Ｍ＝３の場合を仮定する。
【００７３】
３個のＵＬサブフレームから３個のＰＤＣＣＨを受信することができるため、端末は、３個のＰＵＣＣＨリソース(ｎ(1)PUCCH,0、ｎ(1)PUCCH,1、ｎ(1)PUCCH,2)を獲得することができる。チャネル選択の例は、以下の表の通りである。
【００７４】
【表３】
0005639717.tif 000006
【００７５】
ＨＡＲＱ−ＡＣＫ(ｉ)は、Ｍ個のダウンリンクサブフレームのうちｉ番目のダウンリンクサブフレームに対するＡＣＫ/ＮＡＣＫを示す。ＤＴＸ(Ｄｉｓｃｏｎｔｉｎｕｏｕｓ Ｔｒａｎｓｍｉｓｓｉｏｎ)は、該当するＤＬサブフレームでＰＤＳＣＨ上にＤＬ送信ブロックを受信することができないことを意味する。前記表３によると、３個のＰＵＣＣＨリソース(ｎ(1)PUCCH,0、ｎ(1)PUCCH,1、ｎ(1)PUCCH,2)があり、ｂ(０)、ｂ(１)は、選択されたＰＵＣＣＨを利用して送信される２個のビットである。
【００７６】
例えば、端末が３個のＤＬサブフレームで３個のＤＬ送信ブロックを全部成功的に受信すると、端末はｎ(1)PUCCH,2を利用してビット(１,１)をＰＵＣＣＨ上に送信する。端末が１番目(ｉ＝０)のＤＬサブフレームでＤＬ送信ブロックのデコーディングに失敗し、残りはデコーディングに成功すると、端末はｎ(1)PUCCH,2を利用してビット(１,０)をＰＵＣＣＨ上に送信する。
【００７７】
チャネル選択において、少なくとも一つのＡＣＫがある場合、ＮＡＣＫとＤＴＸは対になる(ｃｏｕｐｌｅ)。これは予約された(ｒｅｓｅｒｖｅｄ)ＰＵＣＣＨリソースとＱＰＳＫシンボルの組合せによっては全てのＡＣＫ/ＮＡＣＫ状態を示すことができないためである。しかし、ＡＣＫがない場合、ＤＴＸはＮＡＣＫと分離される(ｄｅｃｏｕｐｌｅ)。
【００７８】
既存ＰＵＣＣＨフォーマット１ｂは、２ビットのＡＣＫ/ＮＡＣＫのみを送信することができる。しかし、チャネル選択は、割り当てられたＰＵＣＣＨリソースと実際ＡＣＫ/ＮＡＣＫ信号をリンクし、より多いＡＣＫ/ＮＡＣＫ状態を示す。
【００７９】
一方、ＵＬサブフレームｎにＭ個のＤＬサブフレームらが連結されていると、ＤＬサブフレームの損失(ｍｉｓｓｉｎｇ)によるＡＣＫ/ＮＡＣＫ信号のエラーが発生することができる。Ｍ＝３であり、基地局が３個のＤＬサブフレームを介して３個のＤＬ送信ブロックを送信すると仮定する。端末は、２番目のＤＬサブフレームでＰＤＣＣＨを失って２番目の送信ブロックを全く受信することができず、残りの１番目と３番目の送信ブロックのみを受信することができる。この時、バンドリングが使われると、端末はＡＣＫを送信するようになるエラーが発生する。
【００８０】
このようなエラーを解決するために、ＤＡＩ(Ｄｏｗｎｌｉｎｋ Ａｓｓｉｇｎｍｅｎｔ Ｉｎｄｅｘ)がＰＤＣＣＨ上のＤＬグラントに含まれる。ＤＡＩは、連結されたＭ個のＤＬサーフレに対して順次的なカウンタ値を含む。
【００８１】
図４は、ＤＡＩを利用したエラー検出の例を示す。
【００８２】
図４の(Ａ)において、端末は、２番目のＤＬサブフレームをのがし、ＤＡＩ＝２を受信することができない。この時、端末は、ＤＡＩ＝３を受信することによって、自分にＤＡＩ＝２に該当されるＤＬサブフレームをのがしたことが分かる。
【００８３】
図４の(Ｂ)において、端末は、３番目のＤＬサブフレームをのがし、ＤＡＩ＝３を受信することができない。この時、端末は、３番目のＤＬサブフレームをのがしたことが分からない。しかし、３ＧＰＰ ＬＴＥでは最後に受信したＰＤＣＣＨの１番目のＣＣＥに基づいてＰＵＣＣＨを構成することによって基地局がＤＬサブフレームの損失を知ることができるようにする。即ち、端末は、ＤＡＩ＝２に該当されるＤＬサブフレームのＰＤＣＣＨのリソースに基づくＰＵＣＣＨリソースを利用してＡＣＫ/ＮＡＣＫを送信する。基地局は、ＤＡＩ＝３に該当されるＤＬサブフレームでないＤＡＩ＝２に該当されるＤＬサブフレームに該当されるＰＵＣＣＨリソースとしてＡＣＫ/ＮＡＣＫが受信されるため、３番目のＤＬサブフレームの損失を知ることができる。
【００８４】
一方、複数のサービングセルが使われることによって、ＡＣＫ/ＮＡＣＫビット数が足りないことに対比し、既存３ＧＰＰ ＬＴＥのＰＵＣＣＨフォーマット外に追加的にＰＵＣＣＨフォーマット３が論議されている。
【００８５】
図５は、ノーマルＣＰにおいて、ＰＵＣＣＨフォーマット３の構造を示す例示図である。
【００８６】
一つのスロットは７ＯＦＤＭシンボルを含み、ｌはスロット内のＯＦＤＭシンボル番号として０〜６の値を有する。ｌ＝１,５である２個のＯＦＤＭシンボルは、基準信号のためのＲＳ ＯＦＤＭシンボルとなり、残りのＯＦＤＭシンボルは、ＡＣＫ/ＮＡＣＫ信号のためのデータＯＦＤＭシンボルとなる。
【００８７】
４８ビットのエンコーディングされた(ｅｎｃｏｄｅｄ)ＡＣＫ/ＮＡＣＫ信号をＱＰＳＫ(ｑｕａｄｒａｔｕｒｅ ｐｈａｓｅ−ｓｈｉｆｔ ｋｅｙｉｎｇ)変調し、シンボルシーケンスｄ＝｛ｄ(０),ｄ(１),...,ｄ(２３)｝を生成する。ｄ(ｎ)(ｎ＝０,１,...,２３)は複素(ｃｏｍｐｌｅｘ−ｖａｌｕｅｄ)変調シンボルである。シンボルシーケンスｄは変調シンボルの集合ということができる。ＡＣＫ/ＮＡＣＫ信号のビット数や変調方式は、例示に過ぎず、制限されるものではない。
【００８８】
一つのＰＵＣＣＨは、１ＲＢを使用し、一サブフレームは、第１のスロットと第２のスロットを含む。シンボルシーケンスｄ＝｛ｄ(０),ｄ(１),...,ｄ(２３)｝は、長さ１２の２個のシーケンスｄ１＝｛ｄ(０),...,ｄ(１１)｝とｄ２＝｛ｄ(１２),...,ｄ(２３)｝とに分けられ、第１のシーケンスｄ１は第１のスロットで送信され、第２のシーケンスｄ２は第２のスロットで送信される。図５は、第１のシーケンスｄ１が第１のスロットで送信されることを示す。
【００８９】
シンボルシーケンスは、直交シーケンスｗiに拡散される。シンボルシーケンスは、各データＯＦＤＭシンボルに対応し、直交シーケンスは、データＯＦＤＭシンボルにわたってシンボルシーケンスを拡散させてＰＵＣＣＨ(又は、端末)の区分に使われる。
【００９０】
直交シーケンスは、拡散係数Ｋ＝５であり、５個の要素を含む。直交シーケンスは、直交シーケンスインデックスｉによって、以下の表の５個の直交シーケンスのうち一つが選択されることができる。
【００９１】
【表４】
0005639717.tif 000007
【００９２】
サブフレーム内の２個のスロットが互いに異なる直交シーケンスインデックスを使用することができる。
【００９３】
拡散されたシンボルシーケンスの各々は、セル−特定的循環シフト値ｎcellcs(ｎs,ｌ)ほど循環シフトされる。循環シフトされたシンボルシーケンスの各々は、該当されるデータＯＦＤＭシンボルでマッピングされて送信される。
【００９４】
ｎcellcs(ｎs,ｌ)は、ＰＣＩ(Ｐｈｙｓｉｃａｌ Ｃｅｌｌ Ｉｄｅｎｔｉｔｙ)に基づいて初期化される疑似乱数シーケンス(ｐｓｅｕｄｏ−ｒａｎｄｏｍ ｓｅｑｕｅｎｃｅ)により決定されるセル−特定的パラメータである。ｎcellcs(ｎs,ｌ)は、無線フレーム内のスロット番号ｎsとスロット内のＯＦＤＭシンボル番号ｌによって変わる。
【００９５】
２個のＲＳ ＯＦＤＭシンボルにはＡＣＫ/ＮＡＣＫ信号の復調に使われる基準信号シーケンスがマッピングされて送信される。
【００９６】
前述したように、ＡＣＫ/ＮＡＣＫ信号は、拡散係数Ｋ＝５である直交シーケンスに拡散されるため、直交シーケンスインデックスを異なるようにすることによって最大５端末を区分することができる。これは同じＲＢに最大５個のＰＵＣＣＨフォーマット３が多重化されることができることを意味する。
【００９７】
図６は、ＰＵＣＣＨフォーマット３を利用したＨＡＲＱ実行方法を示すフローチャートである。
【００９８】
基地局は、端末にリソース設定を送る(Ｓ６１０)。リソース設定は、無線ベアラ(ｒａｄｉｏ ｂｅａｒｅｒ)を設定/修正/再設定するＲＲＣ(Ｒａｄｉｏ Ｒｅｓｏｕｒｃｅ Ｃｏｎｔｒｏｌ)メッセージを介して送信されることができる。
【００９９】
リソース設定は、複数のリソースインデックス候補に関する情報を含む。複数のリソースインデックス候補は、端末に設定されることができるリソースインデックスの集合である。リソース設定は、４個のリソースインデックス候補に関する情報を含むことができる。
【０１００】
基地局は、端末にＤＬグラント(ｇｒａｎｔ)をＰＤＣＣＨ上に送信する(Ｓ６２０)。ＤＬグラントは、ＤＬリソース割当とリソースインデックスフィールドを含む。ＤＬリソース割当は、ＰＤＳＣＨを指示するリソース割当情報を含む。リソースインデックスフィールドは、前記複数のリソースインデックス候補のうちＰＵＣＣＨ設定に使われるリソースインデックスｎPUCCHを示す。４個のリソースインデックス候補がある場合、リソースインデックスフィールドは２ビットを有することができる。
【０１０１】
端末は、ＤＬリソース割当に基づいてＰＤＳＣＨ上にＤＬ送信ブロックを受信する(Ｓ６３０)。端末は、ＤＬ送信ブロックに対するＨＡＲＱ ＡＣＫ/ＮＡＣＫ信号を生成する。
【０１０２】
端末は、リソースインデックスに基づいてＰＵＣＣＨを設定する(Ｓ６４０)。図５の構造において、ＰＵＣＣＨリソースは、ＡＣＫ/ＮＡＣＫ信号の拡散に使われる直交シーケンスインデックス及び基準信号のための循環シフトインデックスを含む。
【０１０３】
ＡＣＫ/ＮＡＣＫ信号の拡散に使われる直交シーケンスインデックスは、以下のように求めることができる。
【０１０４】
【数３】
0005639717.tif 000008
【０１０５】
ここで、ｉ1は第１のスロットに使われる直交シーケンスインデックス、ｉ2は第２のスロットに使われる直交シーケンスインデックス、ＮSFは直交シーケンスの拡散係数、ｎPUCCHはリソースインデックスである。
【０１０６】
ＰＵＣＣＨが一つのサブフレーム、即ち、２スロットで送信されるため、２個の直交シーケンスインデックスが決定される。一スロットに５個のデータＯＦＤＭシンボルがあるため、ＮSFは５である。
【０１０７】
基準信号のための循環シフトインデックスＩcsは循環シフトインデックス集合｛０,３,６,８,１０｝から選択される。より具体的に、直交シーケンスインデックスと循環シフトインデックスＩcsは、以下の表のような関係が定義されることができる。
【０１０８】
【表５】
0005639717.tif 000009
【０１０９】
即ち、直交シーケンスインデックスと循環シフトインデックスは、１：１に対応されることができる。
【０１１０】
循環シフトインデックスに基づいて２個のＲＳ ＯＦＤＭシンボルに対する循環シフトを求める。例えば、端末は、ｌ＝１であるＲＳ ＯＦＤＭシンボルに対して第１の循環シフトインデックスＩcs(１)＝｛ｎcellcs(ｎs,ｌ)＋Ｉcs｝ｍｏｄ Ｎを決定し、ｌ＝５である ＲＳ ＯＦＤＭシンボルに対して第２の循環シフトインデックスＩcs(５)＝｛ｎcellcs(ｎs,ｌ)＋Ｉcs｝ｍｏｄ Ｎを決定することができる。
【０１１１】
端末は、リソースインデックスｎPUCCHに基づいてＰＵＣＣＨリソースを決定し、これに基づいて図５に示すような構造のＰＵＣＣＨを設定する。
【０１１２】
端末は、ＰＵＣＣＨ上にＡＣＫ/ＮＡＣＫ信号を送信する(Ｓ６５０)。
【０１１３】
第１の実施例：ＡＣＫ/ＮＡＣＫリソース割当
【０１１４】
前述したように、ＰＵＣＣＨフォーマット１/１ａ/１ｂは、ＤＬグラントに対するＰＤＣＣＨのリソースから黙示的に(ｉｍｐｌｉｃｉｔｌｙ)ＰＵＣＣＨリソースの割当を受ける。ＰＵＣＣＨフォーマット３は、ＰＵＣＣＨリソースを明示的に(ｅｘｐｌｉｃｉｔｉｌｙ)示すフィールド(これをＡＲＩ(ＡＣＫ/ＮＡＣＫ ｒｅｓｏｕｒｃｅ ｉｎｄｉｃａｔｏｒ)という)を利用してＰＵＣＣＨリソースの割当を受ける。
【０１１５】
本発明は、ＬＴＥ−Ａ ＴＤＤシステムにおいて、ＡＲＩを送信する技法を以下のように提案する。
【０１１６】
より具体的に、ＴＤＤにおけるＡＣＫ/ＮＡＣＫ送信方式によってＤＬグラント内の２ビットＤＡＩを借用してＡＲＩを送信する方案を提案する。
【０１１７】
まず、次のような用語を定義する。
【０１１８】
−空間バンドリング(ｓｐａｔｉａｌ ｂｕｎｄｌｉｎｇ)は、セル別に各ＤＬサブフレームに対してＤＬ ＣＣ別にコードワードに対するＡＣＫ/ＮＡＣＫバンドリングを意味する。例えば、各ＤＬサブフレームで２個のコードワードが送信される場合、２個のコードワードに対するＡＣＫ/ＮＡＣＫビットに対して二進ＡＮＤ動作(ｂｉｎａｒｙ ＡＮＤ ｏｐｅｒａｔｉｏｎ)を実行してバンドリングされたＡＣＫ/ＮＡＣＫを得る。
【０１１９】
−ＣＣバンドリングは、各ＤＬサブフレームに対して全部又は一部のサービングセルに対するＡＣＫ/ＮＡＣＫバンドリングを意味する。
【０１２０】
−サブフレームバンドリングは、各サービングセルに対して全部又は一部のＤＬサブフレームに対するＡＣＫ/ＮＡＣＫバンドリングを意味する。
【０１２１】
特定ＡＣＫ/ＮＡＣＫバンドリング(例えば、空間バンドリング)以外に他のＡＣＫ/ＮＡＣＫバンドリングに参与しないサービングセルをスケジューリングするＰＤＣＣＨのＤＡＩフィールドを借用してＡＲＩが送信されることができる。
【０１２２】
特定ＡＣＫ/ＮＡＣＫバンドリングに参与しないサービングセルをスケジューリングするＰＤＣＣＨのＤＡＩフィールド及び/又はＴＰＣ(ｔｒａｎｓｍｉｔ ｐｏｗｅｒ ｃｏｎｔｒｏｌ)フィールドがＡＲＩ送信に使われることができる。
【０１２３】
どのＡＣＫ/ＮＡＣＫバンドリングも行うことなしにＰＵＣＣＨフォーマット３を利用する時、ＰＤＣＣＨのＤＡＩフィールドはＡＲＩとして使われることができる。
【０１２４】
図７は、ＡＣＫ/ＮＡＣＫ送信の一例を示す。
【０１２５】
４個のＤＬサブフレームが一つのＵＬサブフレームと連結されており、一つのＤＬサブフレームで２個のコードワードが送信されると仮定する。一つのコードワード当たり一つのＡＣＫ/ＮＡＣＫビットが要求されるため、１６ビットのＡＣＫ/ＮＡＣＫ信号が生成される。したがって、端末は、特定のＡＣＫ/ＮＡＣＫバンドリングを実行せずに、１６ビットのＡＣＫ/ＮＡＣＫ信号を４８ビットのエンコーディングされたＡＣＫ/ＮＡＣＫ信号に変え、ＰＵＣＣＨフォーマット３を利用して送信することができる。この時、ＤＬグラント内のＤＡＩは不必要であるため、ＤＡＩフィールドをＡＲＩとして使用することができる。
【０１２６】
空間バンドリングが適用されると仮定する。２個のコードワード当たり一つのＡＣＫ/ＮＡＣＫビットが要求されるため、８ビットのＡＣＫ/ＮＡＣＫ信号が生成される。端末は、特定のＡＣＫ/ＮＡＣＫバンドリングを実行せずに、８ビットのＡＣＫ/ＮＡＣＫ信号を４８ビットのエンコーディングされたＡＣＫ/ＮＡＣＫ信号に変え、ＰＵＣＣＨフォーマット３を利用して送信することができる。この時、ＤＬグラント内のＤＡＩは不必要であるため、ＤＡＩフィールドをＡＲＩとして使用することができる。
【０１２７】
図８は、ＡＣＫ/ＮＡＣＫ送信の他の例を示す。
【０１２８】
１次セルと２個の２次セルがあると仮定する。１次セルでは何らのバンドリングが実行されず、２次セルではＣＣバンドリングが実行されると仮定する。したがって、１２ビットのＡＣＫ/ＮＡＣＫ信号が生成される。端末は、１２ビットのＡＣＫ/ＮＡＣＫ信号を４８ビットのエンコーディングされたＡＣＫ/ＮＡＣＫ信号に変え、ＰＵＣＣＨフォーマット３を利用して送信することができる。
【０１２９】
１次セルでは何らのバンドリングも実行されないため、ＤＡＩが不必要である。しかし、２次セルではセル間バンドリングを実行するため、バンドリングしなければならない総ＰＤＣＣＨの個数に関するＤＡＩが必要である。
【０１３０】
したがって、１次セルをスケジューリングするＰＤＣＣＨのＤＡＩフィールドはＡＲＩとして借用し、２次セルをスケジューリングするＰＤＣＣＨのＤＡＩは維持することができる。この時、２次セルをスケジューリングするＰＤＣＣＨのＴＰＣをＡＲＩとして借用することができる。
【０１３１】
同様に、１次セルで空間バンドリングが実行されてもＤＡＩは不必要である。したがって、１次セルをスケジューリングするＰＤＣＣＨのＤＡＩフィールドはＡＲＩとして借用し、２次セルをスケジューリングするＰＤＣＣＨのＤＡＩは維持することができる。この時、２次セルをスケジューリングするＰＤＣＣＨのＴＰＣをＡＲＩとして借用することができる。
【０１３２】
第２の実施例：ＡＣＫ/ＮＡＣＫ情報の構成
【０１３３】
前述したように、ＬＴＥ−Ａ ＴＤＤでは複数のサブフレームと複数のサービングセルに対するＡＣＫ/ＮＡＣＫを送信することが必要である。
【０１３４】
複数のサービングセルに対するＡＣＫ/ＮＡＣＫを生成する時、基地局と端末との間のサービングセルの設定に対するミスマッチを考慮する必要がある。
【０１３５】
サービングセルの追加/変更/解除はＲＲＣメッセージを介して実行される。しかし、ＨＡＲＱは物理階層で実行されることにより、基地局がＲＲＣメッセージを端末に送る時点とＨＡＲＱが実行される時点でサービングセルのミスマッチが発生することができる。ＲＲＣメッセージが端末に送信され、端末が実際にこれを適用するときにかかる時間が不明確であるためである。例えば、基地局がＲＲＣメッセージを介して２次セルの追加を命令した後、２次セルに対するスケジューリングを実行しているが、端末は依然として追加された２次セルを認識することができないこともある。
【０１３６】
図９は、本発明の実施例に係るＡＣＫ/ＮＡＣＫ情報の構成を示す。
【０１３７】
図９の(Ａ)は、セル優先順位によってＡＣＫ/ＮＡＣＫ情報を構成する例である。１次セル(又は、最も低いセルインデックスを有するセル)の優先順位が最も高いと仮定する。１次セルのＡＣＫ/ＮＡＣＫビットを先に配置した後、２次セルのＡＣＫ/ＮＡＣＫビットを配置する例を示す。１次セルの優先順位が最も高いと仮定する。１次セルのＡＣＫ/ＮＡＣＫビットを先に配置した後、２次セルのＡＣＫ/ＮＡＣＫビットを配置する例を示す。
【０１３８】
図９の(Ｂ)は、複数のＤＬサブフレームが連結した場合、セル優先順位によってＡＣＫ/ＮＡＣＫ情報を構成する例である。セル当たり３個のサブフレームがあることを例示しているが、サブフレームの個数に制限があるものではない。
【０１３９】
サブフレーム当たり複数のコードワードが送信される場合、ＡＣＫ/ＮＡＣＫビットはバンドリングされてもよく、バンドリングされなくてもよい。
【０１４０】
図９の(Ｃ)は、ＣＩの昇順(ａｓｃｅｎｄｉｎｇ ｏｒｄｅｒ)にＡＣＫ/ＮＡＣＫ情報を構成する例である。最も低いＣＩを有するセルのＡＣＫ/ＮＡＣＫビットを先に配置した後、次のＣＩを有するセルのＡＣＫ/ＮＡＣＫビットを配置する例を示す。
【０１４１】
セル別に指定された順序にＡＣＫ/ＮＡＣＫビットを配置する場合、セル設定のミスマッチが発生しても優先順位が高いセル又は１次セルのＡＣＫ/ＮＡＣＫビット位置は変わらないため、誤ったＨＡＲＱが実行されることを防止することができる。
【０１４２】
図１０は、本発明の一実施例に係る受信確認送信方法を示すフローチャートである。この方法は、端末により実行されることができる。１ビットＡＣＫ/ＮＡＣＫは、ＤＬコードワードに対する受信確認(ｒｅｃｅｐｔｉｏｎ ａｃｋｎｏｗｌｅｄｇｅｍｅｎｔ)として、肯定的確認(ｐｏｓｉｔｉｖｅ ａｃｋｎｏｗｌｅｄｇｅｍｅｎｔ)は「１」で、否定的確認は「０」でエンコードされることができるが、ＡＣＫ/ＮＡＣＫ情報のエンコーディング方式に制限があるものではない。
【０１４３】
端末は、複数のサービングセルと複数のＤＬサブフレームに対するＡＣＫ/ＮＡＣＫビットの個数(Ａ)を決定する(Ｓ８１０)。サービングセルの個数をＮcell、サービングセルｃでＤＬサブフレームの個数をＢc、サービングセルｃでコードワードの個数をＣcと仮定する。
【０１４４】
【数４】
0005639717.tif 000010
【０１４５】
複数のサービングセルと複数のＤＬサブフレームに対するＡＣＫ/ＮＡＣＫビットは、ビットシーケンス｛ａ０,ａ１,...,ａＡ−１｝で表すことができる。例えば、シングルコードワード送信である時、該当されるセルｃに対して１ビットＡＣＫ/ＮＡＣＫ ａkが使われる。２コードワード送信である時、該当されるセルｃに対して２ビットＡＣＫ/ＮＡＣＫ ａk,ａk+1が使われる。ａkは、１番目のコードワードに対する１ビットＡＣＫ/ＮＡＣＫであり、ａk+1は、２番目のコードワードに対する１ビットＡＣＫ/ＮＡＣＫである。
【０１４６】
端末は、ＡＣＫ/ＮＡＣＫビットの個数(Ａ)が特定値(ｔｈ)より大きいかどうかを決定する(Ｓ８２０)。このステップは、アップリンクチャネルの容量によってＡＣＫ/ＮＡＣＫビットのビット数を合わせるために空間バンドリングを実行するかどうかを判断するためである。例えば、特定値(ｔｈ)は２０である。もし、空間バンドリングの実行可否を判断する必要がない場合、本ステップは省略されることができる。
【０１４７】
端末は、ＡＣＫ/ＮＡＣＫビットの個数(Ａ)が特定値(ｔｈ)より大きい場合、空間バンドリングを実行する(Ｓ８３０)。空間バンドリングは、全てのサービングセルの全てのサブフレームに対して各サブフレームの少なくとも２個のコードワードに対応するＡＣＫ/ＮＡＣＫビットの二進ＡＮＤ動作を実行することである。特定サブフレームで２コードワードに対する２ビットＡＣＫ/ＮＡＣＫ ａk,ａk+1がある場合、二進ＡＮＤ動作を実行して１ビットＡＣＫ/ＮＡＣＫ ａk′で代替する。
【０１４８】
端末は、複数のサービングセルがセルインデックスの昇順に(バンドリングされた)ＡＣＫ/ＮＡＣＫビットを配列して結合された(ｃｏｍｂｉｎｅｄ)ＡＣＫ/ＮＡＣＫビットを生成する(Ｓ８４０)。ＣＩが０から始めると仮定する。即ち、最も低いＣＩが０であり、最も低いＣＩを有するセルは１次セルである。
【０１４９】
例えば、ビットシーケンス｛ａ0,ａ1,...,ａA-1｝において、１コードワード送信であり、４個のセルがあり、セル当たり３個のＤＬサブフレームがあると仮定する。したがって、Ａ＝１２である。ａki,sは、ＣＩがｉ(ｉ＝０,１,２,３)であるセルのｓ番目の(ｓ＝０,１,２)サブフレームの１ビットＡＣＫ/ＮＡＣＫと仮定する。結合されたＡＣＫ/ＮＡＣＫビットは、｛ａ00,0,ａ10,1,ａ20,2,ａ31,0,ａ41,1,ａ51,2,ａ62,0,ａ72,1,ａ82,2,ａ93,0,ａ103,1,ａ113,2｝のように生成される。
【０１５０】
セル別に指定された順序にＡＣＫ/ＮＡＣＫビットを配置することによって、セル設定のミスマッチが発生しても、少なくとも１次セルのＡＣＫ/ＮＡＣＫビット位置は変わらない。したがって、１次セルで誤ったＨＡＲＱが実行されることを防止することができる。
【０１５１】
端末は、結合されたＡＣＫ/ＮＡＣＫビットをエンコーディングし、エンコーディングされたＡＣＫ/ＮＡＣＫビットを生成する(Ｓ８５０)。ＡＣＫ/ＮＡＣＫビットのエンコーディングは、アップリンクチャネルの容量に適するようにビット数を合わせるためである。例えば、ＰＵＣＣＨフォーマット３の容量は４８ビットであるため、前述した１２ビットの結合されたＡＣＫ/ＮＡＣＫビットをエンコーディングし、４８ビットのエンコーディングされたＡＣＫ/ＮＡＣＫビットを生成することができる。エンコーディング方式は、反復(ｒｅｐｅｔｉｔｉｏｎ)、連鎖(ｃｏｎｃａｔｅｎａｔｉｏｎ)、ブロックコーディングなど、多様な方式を使用することができ、エンコーディング方式に制限はない。
【０１５２】
端末は、エンコーディングされたＡＣＫ/ＮＡＣＫビットを変調してＡＣＫ/ＮＡＣＫシンボルを生成する(Ｓ８６０)。例えば、ＰＵＣＣＨフォーマット３のために、４８ビットのエンコーディングされたＡＣＫ/ＮＡＣＫビットをＱＰＳＫ変調し、シンボルシーケンスｄ＝｛ｄ(０),ｄ(１),...,ｄ(２３)｝を生成することができる。
【０１５３】
端末は、アップリンクチャネル上にＡＣＫ/ＮＡＣＫシンボルを基地局に送信する(Ｓ８７０)。アップリンクチャネルとして図５に示すＰＵＣＣＨフォーマット３が使われることができる。又は、アップリンクチャネルはＰＵＳＣＨであってもよい。アップリンクチャネルがＰＵＳＣＨである場合、エンコーディングされたＡＣＫ/ＮＡＣＫビットはＵＬ送信ブロックと多重化されて送信されることができる。
【０１５４】
図１１は、本発明の実施例が具現される無線通信システムを示すブロック図である。
【０１５５】
基地局５０は、メモリ(ｍｅｍｏｒｙ)５１、プロセッサ(ｐｒｏｃｅｓｓｏｒ)５２及びＲＦ部(ＲＦ(ｒａｄｉｏ ｆｒｅｑｕｅｎｃｙ)ｕｎｉｔ)５３を含む。メモリ５１は、プロセッサ５２と連結され、プロセッサ５２を駆動するための多様な情報を格納する。ＲＦ部５３は、プロセッサ５２と連結され、無線信号を送信及び/又は受信する。プロセッサ５２は、提案された機能、過程及び/又は方法を具現する。前述した実施例において、基地局５０の動作は、プロセッサ５２により具現されることができる。プロセッサ５２は、多重セルを管理し、ＨＡＲＱを実行することができる。
【０１５６】
端末６０は、メモリ６１、プロセッサ６２及びＲＦ部６３を含む。メモリ６１は、プロセッサ６２と連結され、プロセッサ６２を駆動するための多様な情報を格納する。ＲＦ部６３は、プロセッサ６２と連結され、無線信号を送信及び/又は受信する。プロセッサ６２は、提案された機能、過程及び/又は方法を具現する。前述した実施例において、受信確認を送信する端末６０の動作は、プロセッサ６２により具現されることができる。
【０１５７】
プロセッサは、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路及び/又はデータ処理装置を含むことができる。メモリは、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体及び/又は他の格納装置を含むことができる。ＲＦ部は、無線信号を処理するためのベースバンド回路を含むことができる。実施例がソフトウェアで具現される時、前述した技法は、前述した機能を遂行するモジュール(過程、機能など)で具現されることができる。モジュールは、メモリに格納され、プロセッサにより実行されることができる。メモリは、プロセッサの内部又は外部にあり、よく知られた多様な手段によりプロセッサと連結されることができる。
【０１５８】
前述した例示的なシステムにおいて、方法は一連のステップ又はブロックで順序図に基づいて説明されているが、本発明はステップの順序に限定されるものではなく、あるステップは前述と異なるステップと異なる順序に又は同時に発生することができる。また、当業者であれば、順序図に示すステップが排他的でなく、他のステップが含まれたり、順序図の一つ又はその以上のステップが本発明の範囲に影響を及ぼさずに削除可能であることを理解することができる。
【図１】
0005639717.tif 000011
【図２】
0005639717.tif 000012
【図３】
0005639717.tif 000013
【図４】
0005639717.tif 000014
【図５】
0005639717.tif 000015
【図６】
0005639717.tif 000016
【図７】
0005639717.tif 000017
【図８】
0005639717.tif 000018
【図９】
0005639717.tif 000019
【図１０】
0005639717.tif 000020
【図１１】
0005639717.tif 000021